(57)【特許請求の範囲】
【請求項１】
軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段を作動せしめる作動部をノック駒の内壁面に形成すると共に、その作動部をノック駒の長手方向の離隔した前後に形成し、かつ、その作動部を、ノック駒の領域内の長手方向における軸線の中心に直交するノック駒の押圧方向における軸線に対して対称に形成したことを特徴とするサイドノック式シャープペンシル。
【請求項２】
軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段に対する作動部をノック駒の内壁面内に形成すると共に、ノック駒を前記軸筒の径方向に対して回動し得るようにしたことを特徴とするサイドノック式シャープペンシル。
【発明の詳細な説明】
【０００１】
【発明の属する技術分野】
本発明は、軸筒の側壁にノック駒が配置され、そのノック駒を押圧することによって、前記軸筒の内部に配置された芯繰り出し手段を作動せしめるサイドノック式シャープペンシルに関する。
【０００２】
【従来の技術】
１例として、特開２０００−１０８７号公報を挙げ説明する。「サイドノック部に形成されたノック窓を有する外筒と、この外筒内の長手方向に摺動可能に設けられた芯繰り出し機構と、上記ノック窓において外筒内方に押圧可能に設けられかつ二股の脚部を備えたノック部材とからなり、このノック部材のノック操作により上記芯繰り出し機構を摺動して芯を繰り出すサイドノック式シャープペンシルにおいて、上記芯繰り出し機構は、内部に芯通路が形成されかつ上記ノック部材に共働して外筒内を長手方向に摺動する摺動子と、この摺動子の前部に設けられたチャック手段と、これら摺動子とチャック手段とを後方に付勢している戻しバネとから構成されてなり、かつ上記摺動子はその外周にノック部材の脚部の作動斜面に対応した摺動斜面部を備えると共にこの摺動斜面部が径方向において対称に形成されてなることを特徴とするサイドノック式シャープペンシル。」を主な要旨としている。そして、前記ノック部材の１例として、脚部が前後の両側部に形成されているもの（図２参照）や前部の両側部のみに形成されているもの（図７参照）が示されている。
【０００３】
【発明が解決しようとする課題】
芯の繰り出し操作を行う際、殆どの操作者はノック部材の上面のほぼ中央部を押圧する。そのため、その押圧力は、ノック部材の中央部から端部に形成されている脚部に伝達されることになる。ここで、ノック部材の剛性が十分なものであり、また、前記摺動子がスムーズに作動するのであれば問題は発生しないが、ノック部材の剛性が不十分であったり、また、傷の発生などのより摺動子がスムーズに作動しない場合には、ノック部材の中央部分が下方に向け湾曲してしまい、十分な芯の繰り出し量が得られない場合があった。
さらに、前記の現象が著しい場合には、ノック部材が中央部分から折れてしまったり、また、脚部が左右方向に拡開してしまったり、或いは何れか一方向に振れてしまったりして、脚部が摺動子の斜面部から脱落してしまうこともあった。
【０００４】
【課題を解決するための手段】
本発明は、軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段を作動せしめる作動部をノック駒の内壁面に形成すると共に、その作動部をノック駒の長手方向の離隔した前後に形成し、かつ、その作動部を、ノック駒の領域内の長手方向における軸線の中心に直交するノック駒の押圧方向における軸線に対して対称に形成したことを第１の要旨とし、軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段に対する作動部をノック駒の内壁面内に形成すると共に、ノック駒を前記軸筒の径方向に対して回動し得るようにしたことを第２の要旨とする。
【０００５】
【作用】
壁面によって剛性が発生すると共に、左右方向への振れが防止される。
【０００６】
【実施例】
１例を図１〜図３に示し説明する。軸筒１の後方部は、芯を複数本収納可能な断面が六角形状、或いは、角部が湾曲形成されたほぼ八角形状の芯タンク部２となっている。また、軸筒１の後端部には消しゴム３が着脱自在に嵌合されており、更に、その消しゴム３を覆うようにキャップ４が着脱自在に嵌合している。そのキャップ４には、基部に貫通孔５ｃが形成されたクリップ５が一体形成されているが、別部材で構成し互いを圧入などの手段によって固定しても良い。
一方、軸筒１の前方内側には、前記芯タンク部２よりも小径ではあるが、芯が複数本収納可能な芯挿通孔６が形成され、また、芯タンク２と摺動する鍔部７を有し、且つ、複数の芯が収納可能な芯挿通部８ａを有するスライダ８が前後動可能に配置されており、そのスライダ８の前端には、芯の把持・解放を行うチャック体９が固定されている。そして、そのチャック体９の前方外周には、チャック体の開閉を行うチャックリング１０が囲繞している。符号１１は、軸筒１の前端に螺着などの手段によって着脱自在に固定された先部材であって、その先部材１１には、芯を軽く保持し、芯繰り出し操作の際芯の後退を阻止するゴム状弾性体からなる芯戻り止め部材１２と芯を案内するガイド部材１３とが配置されたスライド部材１４が出没可能に配置されている。符号１５は、スライド部材１４と先部材１１との隙間に配置されたゴム状弾性体からなるＯリングであって、自重程度の外力では前記スライド部材１４が移動できないようになっている。
また、スライド部材１４の後方には、筒状部１６が形成されており、その筒状部１６の対向する位置には、係合孔１７が形成されている。そして、その係合孔１７には、前記チャック体９の前方外周部に形成された突起１８が遊挿しており、また、係合している。即ち、その突起１８は、僅かではあるが、係合孔１７内を前後動し得るようになっている。
【０００７】
また、前記軸筒１の中央部より、若干前方の一部分には、凹部１９が形成されている。その凹部１９には、窓孔２０が形成されており、その窓孔２０には前記スライダ８を前進移動せしめるノック駒２１が配置されている。そのノック駒２１は、その断面がコ字型をしており、その両壁面２２の内側には作動部２３が前後に離隔した状態で形成されている。そして、その各々の作動部２３の前後端部には、軸線方向に対して対称となる傾斜面２３ａ、２３ｂが形成されている。即ち、ノック駒２１自体が軸線の前後、並びに左右方向に対して対称なものとなっている（図４参照）。そして、本実施例においては、前記作動部２３の傾斜面２３ａが前記スライダ８の中間部に形成された傾斜面２４に当接している。つまり、ノック駒２１を軸筒１の長手方向に対して垂直方向に押圧すると、ノック駒２１の傾斜面２３がスライダ８の傾斜面２４を押圧し、これによってスライダ８が前進し、芯が繰り出されるのである。本実施例のようにノック駒を軸線の前後、並びに左右方向に対して対称な形状とすることにより、ノック駒の前後の方向性が無くなり、これによって、ノック駒を軸筒に取り付ける際、そのノック駒の方向を気にせずに組み付けることができ、もって、生産性の向上が図れる。
尚、前記スライド部材８の側部には、平坦部８ｂが形成されており、その平坦部８ｂに前記作動部２３の内面２３ｃが接触・摺動し得るようになっている。即ち、この内面２３ｃと平坦部８ｂとの接触によって、ノック駒２３とスライド部材８との相対的な回転が防止されているのである（図３参照）。
符号２５は、前記凹部１９の前方部に取り付けられたゴム状弾性体からなるグリップ部材であり、このグリップ部材２５には螺旋状の溝部を形成しても良く、また、グリップ部材を使用せず軸筒１にローレット加工を直接施すなどして、把持した際の滑り止め性を向上させても良い。符号２６は、前記スライダ８やチャック体９を後方に付勢するためのコイルスプリングなどの弾撥部材からなるチャックスプリングである。
【０００８】
次に、動作について説明する。図２に示す状態からノック駒２１を径方向に押圧すると、スライダ８と共に後続芯Ａを把持したチャック体９が前進する。この後続芯Ａの前進によって残芯Ｂも押圧され前進する。この時、残芯Ｂは、芯戻り止め部材１２に軽く保持されているため、スライド部材１４も前進しようとするが、そのスライド部材１４はＯリング１５によって前記先部材１１に対して摺動抵抗が付与されているため前進せず、その結果、残芯Ｂのみが戻り止め部材１２内を滑りながら前進し、スライド部材１４の先端から突出する。やがて、チャック体９の突起１８は、係合孔１７の前端に当接する。更にノック駒２１を押圧すると、チャック体９の突起１８が前記スライド部材１４をも押圧前進させ、次いで、チャック体９が拡開し把持していた後続芯Ａを解放する。
ここで、ノック駒２１の押圧操作を解除すると、前記スライダ８と共にチャック体９が拡開した状態で後退復帰するが、この後退過程で、チャック体９の突起１８がスライド部材１４の係合孔１７の後端に当接し、そのスライド部材１４をも後退せしめる。即ち、芯戻り止め部材１２に軽く保持されてる残芯Ｂもスライド部材１４と共に後退する。この時、後続芯Ａは、自重によって残芯Ｂに接触しているので、後続芯Ａも残芯Ｂと共に後退することになる。そして、やがてはチャック体９がチャックリング１０によって閉鎖せしめられ、後続芯Ａを把持し後退するが、チャック体９の突起１８が係合孔１７に係合しているため、前記と同様にスライド部材と残芯Ｂも後退する。即ち、後続芯Ａと残芯Ｂは、常に接触した状態で、前進し後退もする。
【０００９】
尚、図示例のスライド部材１４の先端に複数のスリットを形成し、スライド部材１４の先端を開閉可能なものとし、その先端で残芯を保持・解放するようなしても良い。スライド部材の先端で残芯を保持することができ、前例以上に残芯を違和感無く、有効に使用することができる。
また、前例においては、チャック体の前端外周面に突起を形成し、スライド部材を後退させたが、スライダから連結部材を延設し、その連結部材をスライド部材に係合させ、後退させるようにしても良い。スライド部材を後退させる手段は、適宜採用できるものである。
【００１０】
ノック駒の変形例を図６に示し説明する。前記第１例のノック駒の作動部を前側のみとした例である。詳述すると、ノック駒２７の両壁面２８の内側には、作動部２９が形成されており、その作動部２９の前後端部には傾斜面２９ａ、２９ｂが形成されている。本例においても、ノック駒２７が軸線の前後、並びに左右方向に対して対称な形状となっているので、組み立ての容易性が図られている。動作については、前記第１例と同様なので、その説明を省略する。
図７に、ノック駒のさらなる変形例を示し説明する。ノック駒３０の両壁面３１の内面には、作動部３２が前後に離隔した状態で形成されている。その前後に形成された作動部３２は矩形状をしており、その角部３２ａ（３２ｂ）が前記スライド部材８の斜面部２４への当接部となっている。即ち、角部３２ａ（３２ｂ）が斜面部２４を押圧・摺動することによってスライド部材８が前進するのである。本例においても、ノック駒３０が軸線の前後、並びに左右方向に対して対称な形状となっているので、組み立ての容易性が図られている。
【００１１】
第２例を図８に示し説明する。本例におけるサイドノック式シャープペンシルのノック駒３３は、軸筒３４の径方向に回転可能なものとなっている。つまり、ノック駒３３の後端部を支点とし回転させることによってスライド部材３５を前進せしめ芯を繰り出すものである。以下、ノック駒３３について詳述すると、そのノック駒３３の両壁面３６の内面には、作動部３７が形成されているが、その作動部３７の前記スライド部材３５の傾斜面３８への当接部は、前端角部３７ａのみとなっている。角部と言っても若干湾曲形成されている。即ち、この若干湾曲形成された前端角部３７ａが前記スライド部材３５の傾斜面３８に当接し、スライド部材３５を前進せしめるのである。
以上、本発明のノック駒は、ノック駒の平面の内側に作動部を形成しているため、射出成形における金型の成形品を成形するキャビティーとコアとの位置合わせ容易に行え、もって、正確な成形をすることができると言った効果も奏している。特に、作動部に傾斜面が形成されて例においては、壁面が形成されていないノック駒に比し、バリなどを極力防止することができる。ちなみに、壁面がないノック駒の成形品においては、傾斜面を成形する部分において金型（成形品を成形するキャビティーとコア）の位置合わせが難しく、バリなどが発生してしまう危険性が高い。
【００１２】
【発明の効果】
本発明は、軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段を作動せしめる作動部をノック駒の内壁面に形成すると共に、その作動部をノック駒の長手方向の離隔した前後に形成し、かつ、その作動部を、ノック駒の領域内の長手方向における軸線の中心に直交するノック駒の押圧方向における軸線に対して対称に形成したことを第１の要旨とし、軸筒の側壁にノック駒が配置され、そのノック駒を押圧することによって、前記軸筒の内部に配置された芯繰り出し手段を作動せしめるサイドノック式シャープペンシルであって、前記ノック駒の芯繰り出し手段に対する作動部をノック駒の内壁面内に形成すると共に、ノック駒を前記軸筒の径方向に対して回動し得るようにしたことを第２の要旨としたので、確実に芯を繰り出すことができる。
【図面の簡単な説明】
【図１】  本発明を示す外観図。
【図２】  図１の縦断面図。
【図３】  図１の横断面図。
【図４】  ノック駒を示す斜視図。
【図５】  スライド部材を示す斜視図。
【図６】  ノック駒の変形例を示す断面斜視図。
【図７】  ノック駒の更なる変形例を示す斜視図。
【図８】  第２例を示す縦断面図。
【図９】  図８の要部斜視図。
【図１０】  第２例のノック駒を示す斜視図。
【符号の説明】
１      軸体
２      芯タンク部
３      消しゴム
４      キャップ
５      貫通孔
６      芯挿通孔
７      鍔部
８      スライダ
９      チャック体
１０      チャックリング
１１      先部材
１２      芯戻り止め部材
１３      ガイド部材
１４      スライド部材
１５      Ｏリング
１６      筒状部
１７      係合孔
１８      突起
１９      凹部
２０      窓孔
２１      ノック駒
２２      壁面
２３      作動部
２３ａ   傾斜面
２３ｂ    傾斜面
２４      傾斜面
２５      グリップ
２６      チャックスプリング
２７      ノック駒
２８      壁面
２９      作動部
２９ａ    傾斜面
２９ｂ    傾斜面
３０      ノック駒
３１      壁面
３２      作動部
３２ａ    角部
３２ｂ    角部
３３      ノック駒
３４      軸筒
３５      スライド部材
３６      壁面
３７      作動部
３７ａ    角部
３８      傾斜面
【図１】
0003788341.tif 000002
【図２】
0003788341.tif 000003
【図３】
0003788341.tif 000004
【図４】
0003788341.tif 000005
【図５】
0003788341.tif 000006
【図６】
0003788341.tif 000007
【図７】
0003788341.tif 000008
【図８】
0003788341.tif 000009
【図９】
0003788341.tif 000010
【図１０】
0003788341.tif 000011